(57)【要約】  本発明のファンケーシングは、上部に空気排出口を備える第１のケース部と、第１のケース部より前面側に配置される第２のケース部とに分割可能で、第１のケース部と第２のケース部とを組み合わせたときにベルマウスを挟持する円形に開口した縁部が形成されたファンケーシングであって、第１のケース部と第２のケース部との下方の分割部分は、縁部の中心点より前面側に形成され、縁部は、該縁部の最下点から下方の分割部分に向かって水平になっているものである。
2017077595.tif 000002
【特許請求の範囲】
【請求項１】
上部に空気排出口を備える第１のケース部と、前記第１のケース部より前面側に配置される第２のケース部とに分割可能で、前記第１のケース部と前記第２のケース部とを組み合わせたときにベルマウスを挟持する円形に開口した縁部が形成されたファンケーシングであって、
前記第１のケース部と前記第２のケース部との分割部分のうち下方の分割部分は、
前記縁部の中心点より前面側に形成され、
前記縁部は、
該縁部の最下点から前記下方の分割部分に向かって水平になっている
ファンケーシング。
【請求項２】
前記下方の分割部分は、前記縁部の中心点を基準として、以下の式（１）により計算された角度θの範囲で形成されている
請求項１に記載のファンケーシング。
【数１】
2017077595.tif 000004
ここで、ｒは前記縁部の半径である。θは、前記下方の分割部分及び前記縁部の中心点を結ぶ直線と、前記縁部の中心点から鉛直下方に延ばした直線との角度である。ｔは、前記縁部と前記ベルマウスの外周までの距離である。
【発明の詳細な説明】
【技術分野】
【０００１】
本発明は、空気調和機を構成する送風機のファンケーシングに関するものである。
【背景技術】
【０００２】
従来から、空気調和機の送風機のファンケーシングは、複数の金属又は樹脂製の構成部材を溶接、或いは接着して構成される一体型のものが広く用いられている。この一体型のファンケーシングの場合、ファンケーシングの内部に収納されるファンの出し入れは、ファンケーシングの吹き出し口の開口部から可能である。このため、ファンケーシングの製造時のみならず、保守作業等にてファンを交換する際も吹き出し口の開口部からファンの出し入れを行っている。【０００３】
ここで、一体型のファンケーシングにおいて、ダクトを介して空気調和した空気を搬送する形態の空気調和機の場合、保守等によってファンをファンケーシングから取り外す必要が生じることがある。この際、ファンを出し入れできるのは吹き出し口の開口部のみであるため、接続したダクトを外した後、吹き出し口の開口部からファンを取り出す必要があり、作業性が悪い問題点があった。【０００４】
上記の問題点を解決するために、ファンケーシングの吸い込み口を形成するベルマウスを締結又は嵌合によって、ファンケーシングに固定して着脱可能とする。そして、ベルマウスを外した後、ファンケーシングの側面からファンを取り出すファンケーシングが提案されている。しかし、このファンケーシングの場合、ファンを取り出すには、ファンケーシングの左右の側面のいずれかにファンの幅と同寸法以上の取り出しスペースを必要とするため、機器の幅が大きくなってしまうという問題点があった。【０００５】
そこで、上記の問題点を解決するためにファンケーシングを前面部及び後面部からなる２つの部品によって構成し、この２つの部品を分割可能とすることで、ファンの取り出しを容易にするファンケーシングが提案されている（例えば特許文献１参照）。
【先行技術文献】
【特許文献】
【０００６】
【特許文献１】特開２０００−２８３０９４号公報
【発明の概要】
【発明が解決しようとする課題】
【０００７】
特許文献１に記載のファンケーシングにおいては、ファンケーシングの前面部を分割して取り外す際に、前面部付近に着脱用の十分なスペースが確保できない場合、着脱が困難となり、作業性が著しく低下するという問題点があった。【０００８】
本発明は、上記のような課題を解決するためになされたものであり、ファンケーシングの周囲に十分なスペースが無い場合でも、保守等の作業性の低下を防ぐことができるファンケーシングを得ることを目的とする。
【課題を解決するための手段】
【０００９】
本発明に係るファンケーシングは、上部に空気排出口を備える第１のケース部と、前記第１のケース部より前面側に配置される第２のケース部とに分割可能で、前記第１のケース部と前記第２のケース部とを組み合わせたときにベルマウスを挟持する円形に開口した縁部が形成されたファンケーシングであって、前記第１のケース部と前記第２のケース部との下方の分割部分は、前記縁部の中心点より前面側に形成され、前記縁部は、該縁部の最下点から前記下方の分割部分に向かって水平になっているものである。
【発明の効果】
【００１０】
本発明によれば、ファンケーシングは、第１のケース部と第２のケース部との下方の分割部分は、縁部の中心点より前面側に形成され、第１のケース部は、縁部の最下点から下方の分割部分に向かって水平となる構成とする。このようにすることで、ファンケーシングの周囲に十分なスペースが無い場合でも、保守等の作業性の低下を防ぐことができるファンケーシングを得ることができる。
【図面の簡単な説明】
【００１１】
【図１】本発明の実施の形態１に係るファンケーシングの概略全体図である。
【図２】本発明の実施の形態１に係るファンケーシングを搭載した室内機の概略内部構成図である。
【図３】本発明の実施の形態１に係るファンケーシングの概略右側面図である。
【発明を実施するための形態】
【００１２】
以下、本発明のファンケーシングの実施の形態について、図面を参照して説明する。なお、図面の形態は一例であり、本発明を限定するものではない。また、各図において同一の符号を付したものは、同一の又はこれに相当するものであり、これは明細書の全文において共通している。さらに、以下の図面では各構成部材の大きさの関係が実際のものとは異なる場合がある。
【００１３】
実施の形態１．
［ファンケーシングの構成］
図１は、本発明の実施の形態１に係るファンケーシングの概略全体図である。図１（ａ）及び図１（ｂ）に示されるように、ファンケーシング２０は、前面側ケーシング１、後面側ケーシング２、右側ベルマウス３及び左側ベルマウス４を備えている。前面側ケーシング１は、後面側ケーシング２の前面に配置される。右側ベルマウス３は、前面側ケーシング１及び後面側ケーシング２の右側面に配置される。左側ベルマウス４は、前面側ケーシング１及び後面側ケーシング２の左側面に配置される。
【００１４】
前面側ケーシング１は、上方側に後面側ケーシング２と組み合わさる分割部分２６を備え、下方側に後面側ケーシング２と組み合わさる分割部分２４を備えている。また、前面側ケーシング１は、右側面に円弧状に形成された円弧部２１を備え、左側面にも円弧状に形成された円弧部（図示省略）を備えている。なお、前面側ケーシング１は本発明における「第２のケース部」に相当する。
【００１５】
後面側ケーシング２は、上方側に前面側ケーシング１と組み合わさる分割部分２７を備え、下方側に、前面側ケーシング１と組み合わさる分割部分２５を備えている。また、後面側ケーシング２は、右側面に円弧状に形成された円弧部２２を備え、左側面にも円弧状に形成された円弧部２８を備えている。さらに後面側ケーシング２は、上部に空気を排出する空気排出口２３を備えている。なお、後面側ケーシング２は本発明における「第１のケース部」に相当する。
【００１６】
前面側ケーシング１と後面側ケーシング２とを組み合わせる際は、図１（ｂ）に示すように、前面側ケーシング１の分割部分２６と後面側ケーシング２の分割部分２７とを組み付け、前面側ケーシング１の分割部分２４と後面側ケーシング２の分割部分２５とを組み付ける。このようにして、前面側ケーシング１と後面側ケーシング２とは固定され、一体化される。
【００１７】
ここで、前面側ケーシング１と後面側ケーシング２とを組み合わせることで、ファンケーシング２０の右側面には、円弧部２１と円弧部２２とにより円形に開口した縁部２９（図３において後述する）が形成される。同様にファンケーシング２０の左側面にも、前面側ケーシングの円弧部（図示省略）と円弧部２８とにより円形に開口した縁部（図示省略）が形成される。
【００１８】
ファンケーシング２０の右側面には、縁部２９により右側ベルマウス３が挟持されて固定されている。ファンケーシング２０の左側面には、縁部（図示省略）により左側ベルマウス４が挟持されて固定されている。なお、本実施の形態においてベルマウスが縁部によって挟持されて固定されている例を示したが、本発明はこれに限定されない。例えば、ベルマウスを縁部に締結したり、嵌合させたりしてもよい。つまり、ベルマウスをケーシングに容易に取り外しができる手法により固定させることができればよい。
【００１９】
図２は、本発明の実施の形態１に係るファンケーシングを搭載した室内機の概略内部構成図である。図２（ａ）は、室内機の概略正面視図であり、図２（ｂ）は、室内機の概略側面図である。図２（ａ）及び図２（ｂ）に示されるように、室内機３０は、ファンケーシング２０、ファン５、モータ６及び熱交換器７を備える。ファン５はファンケーシング２０の内部に収容され、モータ６によって回転駆動される。モータ６によって回転駆動されたファン５は、室内機３０の外部から外気を吸い込み、熱交換器７において熱交換を行った後、空気排出口２３から空気調和された空気を排出する。なお、本実施の形態において、ファンケーシング２０を室内機３０内に搭載した例を示したが、本発明はこれに限定されず、室外機（図示省略）に搭載させてもよい。
【００２０】
室内機３０の四隅には支柱８が立設されており、左右の支柱８の間には梁９が橋架され、前後の支柱８の間にも梁１０が橋架されている。ファンケーシング２０は、この梁９及び梁１０により四方を囲まれて室内機３０の内部に設置されている。
【００２１】
ここで、ファンケーシング２０をファンケーシング２０の最下点にて分割して、前面側ケーシング１（図示省略）を前面側に取り出して作業を行う場合、前面側ケーシング１が梁９に干渉し、取り出し作業が困難になる。そこで、以下、前面側ケーシング１が梁９と干渉しないようにして取り出せる方法について説明する。なお、本実施の形態において前面側ケーシング１と干渉する物の例として梁９を挙げたが、本発明はこれに限定されず、他の構成部材が前面側ケーシング１と干渉する要因となり得ることは言うまでもない。
【００２２】
図３は、本発明の実施の形態１に係るファンケーシングの概略右側面図である。図３に示されるように、前面側ケーシング１と後面側ケーシング２とを組み合わせた際に、ファンケーシング２０の右側面に円形に開口した縁部２９が形成される。縁部２９は、半径ｒの円１２であり、円１２の中心には中心点４０が存在する。円１２の直径ｒは、ファン５（図示省略）の直径より大きい寸法である。また、中心点４０から鉛直下方に向かい縁部２９と交わる点を最下点４１とする。中心点４０を基準として、中心点４０と最下点４１とを結ぶ線分からファンケーシング２０の前面側に回転した分の中心角をθとする。
【００２３】
前面側ケーシング１の分割部分２４と後面側ケーシング２の分割部分２５とが組み合わさった下方の分割部分４２は、円１２の中心点４０より前面側に形成されている。さらに詳しく言うならば、下方の分割部分４２は、中心点４０の鉛直下方の最下点４１から中心角θの分だけ前面側に回転して形成されている。このようにすることで、図２（ａ）に示す梁９と干渉することなく、前面側ケーシング１を前面側に分割して取り外すことが可能となる。
【００２４】
また、後面側ケーシング２は、最下点４１から下方の分割部分４２に向かって水平な線分１５が形成されている。すなわち、後面側ケーシング２は、最下点４１から下方の分割部分４２まで水平方向に線分１５を延伸させ、線分１５より上部の網掛け部１６を切り欠く構造となっている。このようにすることで、ファンケーシング２０の内部に収容されているファン５を取り出す際に、ファン５を水平方向に前面側に引き抜くことで、後面側ケーシング２の網掛け部１６に引っ掛かることなくファン５を取り出すことが可能となり作業性が向上する。なお、本実施の形態において、水平方向に線分１５を延伸させた例を示したが、ここで言う水平とは略水平を含む概念であり、厳密に水平である必要はない。
【００２５】
次に、中心角θが満たす式について説明する。
中心角θは、下方の分割部分４２及び縁部２９の中心点４０を結ぶ直線と、縁部２９の中心点４０から鉛直下方に延ばした直線との角度である。中心角θは以下に示す式（１）を満たす範囲について任意に決定することができる。なお、ｔ１は円１２の中心角θ分だけ前面側に回転した部分から、下方の分割部分４２と水平な線分１５との交点までの距離である。また、ｔは、円１２と右側ベルマウス３のベルマウス外周１７までの距離である。
【数１】
2017077595.tif 000003
【００２６】
式（１）により、ｔ１をｔ未満となる範囲でθを決定することで、ファンケーシング２０の周辺の構造の制約に合わせた中心角θを設定して前面側からのメンテナンス性を向上させることができる。さらに、円１２の径をファン５の径より大きくし、円１２の最下点４１から水平に下方の分割部分４２まで引いた線分１５がなす領域である網掛け部１６を切り欠くようにする。このようにすることで、ファンケーシング２０の左右にファン５と同寸法以上の十分な空間がない場合であっても、網掛け部１６にファン５が引っ掛かることなく、ファン５がモータ軸から抜けた位置からファン５のみを前面側に水平に抜き出すことが可能となる。これにより、送風機周辺の小空間化を実現することができる。なお、本実施の形態において、ファンケーシング２０の右側面側の構造について説明したが、ファンケーシング２０の左側面側も右側面側の構造と同様である。
【００２７】
［実施の形態の効果］
以上のことから、本実施の形態によれば、ファンケーシング２０は、上部に空気排出口を備える後面側ケーシング２と、後面側ケーシング２より前面側に配置される前面側ケーシング１とに分割可能で、後面側ケーシング２と前面側ケーシング１とを組み合わせたときにベルマウスを挟持する円形に開口した縁部２９が形成されたファンケーシングであって、後面側ケーシング２と前面側ケーシング１との下方の分割部分４２は、縁部２９の中心点より前面側に形成され、縁部２９は、該縁部２９の最下点４１から下方の分割部分４２に向かって水平になっている。このようにすることで、ファンケーシング２０の周囲に十分なスペースが無い場合でも、保守等の作業性の低下を防ぐことができるファンケーシング２０を得ることができる。
【００２８】
また、下方の分割部分４２は、縁部２９の中心点４０を基準として、式（１）により計算された角度の範囲で形成されている。このようにすることで、ファンケーシング２０の周辺の構造の制約に合わせた中心角θを設定して前面側からのメンテナンス性が向上したファンケーシング２０を得ることができる。
【符号の説明】
【００２９】
１  前面側ケーシング、２  後面側ケーシング、３  右側ベルマウス、４  左側ベルマウス、５  ファン、６  モータ、７  熱交換器、８  支柱、９  梁、１０  梁、１２  円、１５  線分、１６  網掛け部、１７  ベルマウス外周、２０  ファンケーシング、２１  円弧部、２２  円弧部、２３  空気排出口、２４  分割部分、２５  分割部分、２６  分割部分、２７  分割部分、２８  円弧部、２９  縁部、３０  室内機、４０  中心点、４１  最下点、４２  下方の分割部分。
【図１】
2017077595.tif 000005
【図２】
2017077595.tif 000006
【図３】
2017077595.tif 000007
【国際調査報告】
2017077595.tif 000008
2017077595.tif 000009
2017077595.tif 000010